(57)【要約】      （修正有）【課題】従来の衣服クリーナーは粘着型であるので、軽くて、かつコンパクトにして優しく衣服に触れるだけで効果的にごみや埃を除去できるとともに、企業名や宣伝文言を表示できる高摩擦性発泡マットによる衣服クリーナーを提供する。【解決手段】手のひらに収まるカードより一回り小さいサイズで、厚さ約１ミリ程度の矩形状の厚紙又はプラスチック、金属板など、薄くても適度な強度を有する基板２の片面に、エチレン・酢酸ビニール共重体・発泡体でなるＥＶＡ発泡材３による厚さ約２〜５ミリの高摩擦性発泡マット４を両面テープ５で取り付けてなる基板２の背面に、平滑な広告表示スペースを有してなる衣服クリーナー１を構成する。【選択図】図１
0003145321.tif 000002
【実用新案登録請求の範囲】
【請求項１】
衣服に付いたごみや埃を除去するクリーナーであって、薄くても適度に腰の強さがある基板の表面に、高摩擦性発泡マットを取り付けてなる構成を特徴とする衣服用クリーナー。
【請求項２】
前記の高摩擦性発泡マットが、エチレン・酢酸ビニール共重体・発泡体によるＥＶＡ素材である請求項１に記載する衣服用クリーナー。
【請求項３】
前記する高摩擦性発泡マットの平面形状が、直線又は曲線が組み合わされてなる異型状に形成した請求項１又は請求項２に記載する衣服用クリーナー。
【考案の詳細な説明】
【技術分野】
【０００１】  本考案は、衣服に付いた埃やごみ、ペットの毛などを軽く擦るだけでベトつくことなく簡単に除去できるとともに、カードサイズ程度であるので気軽にポケットやハンドバックに入れて携帯できる衣服用クリーナーに関する。
【背景技術】
【０００２】  従来より、衣服に付いたごみや毛、埃などは、セロテープやガムテープ片にごみや埃を接着させて除去したり、取っ手を有する器具の前部に回転自在な基板を取り付け、その基板面に毛足を一方向に傾斜するように織り混んだ生地を取り付けた専用の衣服クリーナーで衣服を擦ることで、ごみや埃を掻き取るようにして除去し、クリーナーに付いたごみは別の布地面に擦り付けることで処理できるものがある。【０００３】  さらに、カード状の厚紙の一方に一体に形成したカバーを有するクリーナー本体面に、ゴム系粘着剤を塗布した携帯用ゴム系粘着クリーナーの技術がある。（例えば、特許文献１参照）
【特許文献１】実用新案登録第３１３３７５１号公報
【考案が解決しようとする課題】
【０００４】  前記するようなセロテープなど使う方法は手軽ではあるが、接着力が強過ぎるうえ、捨てる時にテープ片が指にくっ付いたりして捨てにくい。
【０００５】    また、専用の衣服クリーナーは繊維の中に入り込んだごみなども除去できるが、取っ手を有する本体がプラスチックで形成された器具であるため、ポケットに入れて気軽に携帯できないなどの不便や欠点があった。
【０００６】    さらに、実用新案登録第３１３３７５１号公報に開示される技術は、名刺程度の大きさの台紙の一方にカバー紙を取り付けた前記台紙面に、ゴム系粘着剤を有する両面テープを貼り付けたカバー付きクリーナーであり、薄くてポケットにも入るタイプであるが、これは粘着方式で洗って再度使用できるとは言え粘着力は落ちるし、完全に乾燥させなければ使えない。また布地の種類によっては粘着剤のカスが衣服に付いたり、一旦除去したごみが再び衣服に付くなどの不便や欠点がある技術であった。
【課題を解決するための手段】
【０００７】  本考案は従来の衣服クリーナーが持つ不便や欠点を解消するものとして、請求項１においては、薄くても適度に腰の強さがある基板の表面に、高摩擦性発泡マットを取り付けることにより、薄くて軽く、かつ生地を傷めることなくごみや埃を簡単に除去できる衣服用クリーナーとする。
【０００８】  請求項２については、前記の高摩擦性発泡マットが、エチレン・酢酸ビニール共重体・発泡体によるＥＶＡ発泡素材を採用することで、さらにごみ除去性を高められるものとする。
【０００９】  請求項３については、前記する基板付き高摩擦性発泡マットの平面形状が、直線又は曲線が組み合わされた異型状にすることにより、意匠的にも楽しくユニークなものとする。
【考案の効果】
【００１０】  本考案による衣服クリーナーは、手の平に楽に収まるカードサイズであり、厚さも数ミリと極めて薄くコンパクトであるので、ポケットはもとより、女性のバックの隅や小物入れに楽に収められるので外出時の必需品としても苦にならず、またコンパクトや油取り紙ケース、その他の小物ケースに貼り付けても嵩張らずに使える。
【００１１】  さらに、クリーナー素材は、ＥＶＡ素材によるきわめて高摩擦性を有する発泡マットを採用しているため、粘着剤タイプのようにベタ付く心配が全くない素材であるので、粘着剤のカスが残ることがないうえ、除去したごみは簡単に処理できる。また。高摩擦性発泡マットは軽く衣服面を優しく擦るだけでごみや埃を効果的に除去できるので、高級なベルベットや繊細なレース地などにも安心して使える。
【００１２】  加えて、その高摩擦性発泡マットの背面に設けた基板はどんな素材でもよいうえ、適度な大きさのスペースを形成するので、例えば、ノベルティとして企業名や電話番号、業務、案内地図など表示することも効果的で、その表示方法も、印刷や刻印の他に印刷したシールを貼ってアピールすることもできる。
【考案を実施するための最良の形態】
【００１３】  本考案の衣服クリーナーの第１の実施形態を図１に示す一部欠損した斜視図と図２に示す背面図、図３に示すＡ−Ａ線拡大断面図で説明する。
本考案による第１の実施形態による衣服クリーナー１は、カード又はそれより少し小さいサイズで、厚さ約１ミリ程度の矩形状の厚紙又はプラスチック、金属板など、薄くても適度な腰の強さを有する基板２の片面に、エチレン・酢酸ビニール共重体・発泡体でなるＥＶＡ発泡材３による厚さ約２〜５ミリの高摩擦性発泡マット４を両面テープ５で取り付けてなる基板２の背面に、平滑な広告表示スペース６有してなる衣服クリーナー１を構成する。【００１４】  第１実施形態による衣服クリーナー１は、薄くても腰の強い基板２の表面に摩擦度が極めて高いエチレン・酢酸ビニール共重体・発泡体によるＥＶＡ発泡材３による高摩擦性発泡マット４を取り付けたクリーナーであるため、薄くて、かつ極めて軽い衣服クリーナー１を形成する。また背面の基板２は平滑で、かつ適度な大きさであるので、図２に示すように企業名や電話、Ｅメール、ホームページアドレスなどの宣伝文字７や図絵柄を表示できる広告表示スペース６として有効に使える衣服クリーナー１となる。【００１５】  第２実施形態の衣服クリーナーを、図４に示す一部を欠いた平面図で説明する。
第２実施形態による衣服クリーナー１ａは基板２ａ面に取り付ける高摩擦性発泡マット４ａは、前記第１実施形態と同様のエチレン・酢酸ビニール共重体・発泡体によるＥＶＡ発泡材３ａを基板２ａに接着した衣服クリーナー１ａであるが、その衣服クリーナー１ａの平面形状は前記第１実施形態のような矩形ではなく、直線や曲線の組み合わせによる異型にカット形成されるものであり、その形成方法は、適度に広い基板２ａ面に高摩擦性発泡マット４ａを取り付けたうえで、プレスなどによる抜き型によって一体に異型状にカットしてなる衣服クリーナー１ａを構成する。ちなみに図４に示すタイプは自動車型にカットされた衣服クリーナー１ａである。【００１６】  第２実施形態による衣服クリーナー１ａは、平面形状が矩形ではなく直線や曲線の組み合わせによる異形状を成すクリーナーを形成するが、背面の基板２ａには第１実施形態と同様に表示スペースを有する衣服クリーナー１ａとなるので、意匠的にユニークで楽しい衣服リーナー１ａとなる。【００１７】  本考案における衣服クリーナー１を形成する基板と高摩擦性発泡マット４の取り付け方法は両面テープ５であるが、接着剤や他の方法でも差支えない。また第２実施形態による衣服クリーナー１ａの平面形状は自動車型であるが、キャラクターや他のいずれの形にカットするのも構わず、いずれも特に限定されるものではない。
【図面の簡単な説明】
【００１８】
【図１】本考案の衣服クリーナーの第１実施形態を示す一部欠損斜視図である。
【図２】衣服クリーナーの第１実施形態を示す背面図である。
【図３】衣服クリーナーの第１実施形態を示すＡ−Ａ線拡大断面図である。
【図４】衣服クリーナーの第２実施形態を示す一部を欠いた平面図である。
【符号の説明】
【００１９】１，１ａ  衣服クリーナー
２  ，２ａ  基板
３、３ａ  ＥＶＡ発泡材
４，４ａ  高摩擦性発泡マット
５  両面テープ
６  広告表示スペース
７  宣伝文字
【図１】
0003145321.tif 000003
【図２】
0003145321.tif 000004
【図３】
0003145321.tif 000005
【図４】
0003145321.tif 000006
【手続補正書】
【提出日】平成20年6月25日(2008.6.25)
【手続補正１】
【補正対象書類名】明細書
【補正対象項目名】０００２
【補正方法】変更
【補正の内容】
【０００２】  従来より、衣服に付いたごみや毛、埃などは、セロテープ（登録商標）やガムテープ片にごみや埃を接着させて除去したり、取っ手を有する器具の前部に回転自在な基板を取り付け、その基板面に毛足を一方向に傾斜するように織り混んだ生地を取り付けた専用の衣服クリーナーで衣服を擦ることで、ごみや埃を掻き取るようにして除去し、クリーナーに付いたごみは別の布地面に擦り付けることで処理できるものがある。
【手続補正２】
【補正対象書類名】明細書
【補正対象項目名】０００４
【補正方法】変更
【補正の内容】
【０００４】  前記するようなセロテープ（登録商標）など使う方法は手軽ではあるが、接着力が強過ぎるうえ、捨てる時にテープ片が指にくっ付いたりして捨てにくい。